(57)【要約】      （修正有）【課題】組み合わせ方式の多様性を向上することができる連鎖式立体パズルを提供する。【解決手段】Ｒ個の連鎖エレメントを含み、Ｒは７以上であって、前記連鎖エレメントは、両端部２０と中央部３０とからなり、かつ第１表面３１と、前記第１表面３１と相対する第２表面を具備し、前記第１表面３１と前記第２表面には１６個のブロック部を設け、そのうち、組み合わせ箇所に供する連鎖エレメントの中央部３０には切り欠きが形成されることを特徴するものである。これにより、Ｒ個の連鎖エレメント中の６個で、二種以上の組み合わせ体を組み合わせることができる。さらに、構造が異なる１４個の連鎖エレメントを予め用意することにより、多種の組み合わせ方式を実現できる。【選択図】図２
0003146613.tif 000002
【実用新案登録請求の範囲】
【請求項１】
Ｒ個の連鎖エレメントを含む連鎖式立体パズルにおいて、
Ｒは７以上であって、各連鎖エレメントは正方形の横断面を有し、該横断面は２単位長度と２単位長度を乗算して得られ、かつ該連鎖エレメントは両端部と中央部とからなり、該中央部は長度が４単位長度で、また少なくとも第１表面と、該第１表面と相対する第２表面とを具備し、該第１表面には第１ブロック部、第２ブロック部、第３ブロック部、第４ブロック部、第５ブロック部、第６ブロック部、第７ブロック部、第８ブロック部を設け、また該第２表面には第９ブロック部、第１０ブロック部、第１１ブロック部、第１２ブロック部、第１３ブロック部、第１４ブロック部、第１５ブロック部、第１６ブロック部を設け、
各連鎖エレメントは形状が相違し、該Ｒ個の連鎖エレメントのうち、６個の連鎖エレメントは少なくとも２種類の組合せ体を組み合わせることができることを特徴とする、連鎖式立体パズル。
【請求項２】
Ｒ個の連鎖エレメントを含む連鎖式立体パズルにおいて、
Ｒは１４であって、各連鎖エレメントは正方形の横断面を有し、該横断面は２単位長度と２単位長度を乗算して得られ、かつ該連鎖エレメントは両端部と中央部とからなり、該中央部は長度が４単位長度で、また少なくとも第１表面と、該第１表面と相対する第２表面とを具備し、該第１表面には第１ブロック部、第２ブロック部、第３ブロック部、第４ブロック部、第５ブロック部、第６ブロック部、第７ブロック部、第８ブロック部を設け、また該第２表面には第９ブロック部、第１０ブロック部、第１１ブロック部、第１２ブロック部、第１３ブロック部、第１４ブロック部、第１５ブロック部、第１６ブロック部を設け、
該１４個の連鎖エレメントのうち、第１連鎖エレメントは、第１ブロック部、第２ブロック部、第３ブロック部、第４ブロック部、第５ブロック部、第６ブロック部、第７ブロック部、第８ブロック部、第１０ブロック部、第１１ブロック部を含み、該第１１ブロック部には切り欠きが形成され、
第２連鎖エレメントは、第１ブロック部、第３ブロック部、第４ブロック部、第９ブロック部、第１１ブロック部、第１２ブロック部を含み、該第１２ブロック部には切り欠きが形成され、
第３連鎖エレメントは、第２ブロック部、第３ブロック部、第４ブロック部、第７ブロック部、第８ブロック部、第１０ブロック部、第１１ブロック部を含み、該第１１ブロック部には切り欠きが形成され、
第４連鎖エレメントは、第２ブロック部、第３ブロック部、第４ブロック部、第６ブロック部、第７ブロック部、第１１ブロック部、第１２ブロック部を含み、該第１２ブロック部には切り欠きが形成され、
第５連鎖エレメントは切り欠きを有しない実心体であり、
第６連鎖エレメントは、第１ブロック部、第２ブロック部、第３ブロック部、第４ブロック部、第５ブロック部、第８ブロック部、第１０ブロック部、第１１ブロック部を含み、該第１１ブロック部には切り欠きが形成され、
第７連鎖エレメントは、第１ブロック部、第２ブロック部、第３ブロック部、第４ブロック部、第９ブロック部、第１０ブロック部、第１１ブロック部、第１２ブロック部を含み、該第１２ブロック部には切り欠きが形成され、
第８連鎖エレメントは、第２ブロック部、第３ブロック部、第４ブロック部、第６ブロック部、第７ブロック部、第１０ブロック部、第１１ブロック部、第１２ブロック部を含み、該第１２ブロック部には切り欠きが形成され、
第９連鎖エレメントは、第２ブロック部、第３ブロック部、第４ブロック部、第８ブロック部、第１０ブロック部、第１１ブロック部を含み、該第１１ブロック部には切り欠きが形成され、
第１０連鎖エレメントは、第２ブロック部、第３ブロック部、第６ブロック部、第７ブロック部を含み、該第７ブロック部には切り欠きが形成され、
第１１連鎖エレメントは、第３ブロック部、第４ブロック部、第１１ブロック部、第１２ブロック部を含み、該第１２ブロック部には切り欠きが形成され、
第１２連鎖エレメントは、第４ブロック部、第１２ブロック部を含み、該第１２ブロック部には切り欠きが形成され、
第１３連鎖エレメントは、第２ブロック部、第３ブロック部、第６ブロック部、第７ブロック部、第１０ブロック部、第１１ブロック部を含み、該第１１ブロック部には切り欠きが形成され、
第１４連鎖エレメントは、第２ブロック部、第３ブロック部、第６ブロック部、第７ブロック部、第１０ブロック部を含み、該第１０ブロック部には切り欠きが形成されることを特徴とする、連鎖式立体パズル。
【請求項３】
さらに前記第１連鎖エレメントを含み、合計１５個の連鎖エレメントからなることを特徴とする、請求項２に記載の連鎖式立体パズル。
【請求項４】
さらに第１５連鎖エレメントと第１６連鎖エレメントを含み
第１５連鎖エレメントは、第１ブロック部、第２ブロック部、第３ブロック部、第４ブロック部、第５ブロック部、第６ブロック部、第８ブロック部、第１０ブロック部、第１１ブロック部を含み、該第１１ブロック部には切り欠きが形成され、
第１６連鎖エレメントは、第１ブロック部、第２ブロック部、第３ブロック部、第４ブロック部、第５ブロック部、第７ブロック部、第８ブロック部、第１０ブロック部、第１１ブロック部を含み、該第１１ブロック部には切り欠きが形成されることを特徴とする、請求項２に記載の連鎖式立体パズル。
【請求項５】
さらに第１連鎖エレメント２個、第７連鎖エレメント、第１１連鎖エレメント、第１２連鎖エレメントを含み、合計２１個の連鎖エレメントからなることを特徴とする、請求項４に記載の連鎖式立体パズル。
【請求項６】
該第１連鎖エレメント、該第２連鎖エレメント、該第３連鎖エレメント、該第４連鎖エレメント、該第５連鎖エレメント、該第６連鎖エレメント、該第７連鎖エレメント、該第８連鎖エレメント、該第９連鎖エレメント、該第１０連鎖エレメント、該第１１連鎖エレメント、該第１２連鎖エレメント、該第１３連鎖エレメント、該第１４連鎖エレメント、該第１５連鎖エレメント、該第１６連鎖エレメントは、それぞれＡ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐとし、それぞれの組み合わせ方式は少なくとも、ＡＡＡＢＥＪ、ＡＡＡＢＥＫ、ＡＡＡＪＫＬ、ＡＡＡＬＬＭ、ＡＡＢＥＦＭ、ＡＡＥＦＧＪ、ＡＡＥＦＧＫ、ＡＡＥＦＨＪ、ＡＡＥＦＨＫ、ＡＡＦＪＫＫ、ＡＡＦＫＬＭ、ＡＡＧＧＬＬ、ＡＢＥＦＧＧ、ＡＦＧＧＫＬ、ＦＦＧＧＫＫのいずれか１種から選択されることを特徴とする、請求項５に記載の連鎖式立体パズル。
【請求項７】
該第１連鎖エレメント、該第２連鎖エレメント、該第３連鎖エレメント、該第４連鎖エレメント、該第５連鎖エレメント、該第６連鎖エレメント、該第７連鎖エレメント、該第８連鎖エレメント、該第９連鎖エレメント、該第１０連鎖エレメント、該第１１連鎖エレメント、該第１２連鎖エレメント、該第１３連鎖エレメント、該第１４連鎖エレメント、該第１５連鎖エレメント、該第１６連鎖エレメントは、それぞれＡ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐとし、それぞれの組み合わせ方式は、少なくともＡＡＢＣＤＥ、ＡＡＣＥＪＯ、ＡＡＣＥＫＯ、ＡＡＤＥＦＮ、ＡＡＤＥＪＰ、ＡＡＤＥＫＰ、ＡＡＤＩＬＮ、ＡＡＤＬＭＮ、ＡＡＧＩＫＬ、ＡＢＥＦＧＨ、ＡＣＤＥＦＧ、ＡＣＤＦＪＫ、ＡＤＦＩＫＮ、ＡＤＦＫＭＮ、ＡＤＩＫＫＰ、ＡＥＦＧＨＩ、ＡＥＦＨＮＯ、ＡＥＧＪＯＰ、ＡＥＧＫＯＰ、ＡＪＬＭＯＰ、ＡＪＫＫＯＰ、ＡＫＬＭＯＰ、ＧＨＫＬＯＰ、ＧＩＫＫＯＰのいずれか１種から選択されることを特徴とする、請求項５に記載の連鎖式立体パズル。
【請求項８】
該第１連鎖エレメント、該第２連鎖エレメント、該第３連鎖エレメント、該第４連鎖エレメント、該第５連鎖エレメント、該第６連鎖エレメント、該第７連鎖エレメント、該第８連鎖エレメント、該第９連鎖エレメント、該第１０連鎖エレメント、該第１１連鎖エレメント、該第１２連鎖エレメント、該第１３連鎖エレメント、該第１４連鎖エレメント、該第１５連鎖エレメント、該第１６連鎖エレメントは、それぞれＡ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐとし、それぞれの組み合わせ方式は、少なくともＡＡＣＤＥＩ、ＡＡＣＤＪＬ、ＡＡＣＤＫＬ、ＡＢＣＥＨＯ、ＡＣＤＥＦＨ、ＡＣＤＦＫＫ、ＡＣＨＫＬＯ、ＣＤＥＧＯＰ、ＣＤＪＫＯＰ、ＣＤＫＫＯＰ、ＣＦＧＫＫＯ、ＤＦＧＫＫＰのいずれか１種から選択されることを特徴とする、請求項５に記載の連鎖式立体パズル。
【考案の詳細な説明】
【技術分野】
【０００１】
本考案は、連鎖式立体パズルに係り、特に組み合わせ方式の多様性、娯楽性及び挑戦性を向上することができる連鎖式立体パズルに関する。
【背景技術】
【０００２】
ＩＱパズルの組み合わせにおいて、組み合わせの第一条件は、組み合わせエレメント（以下、連鎖エレメントという）の個数より、連鎖エレメント同士の組み合わせ方式であり、この組み合わせ方式こそは、連鎖式立体パズルの楽しみである。
【０００３】
現在、一般の市場に見られる組み合わせ式立体パズルは、連鎖エレメントの個数から見ると、６個以下、６個、６個以上の３種類に分けられる。連鎖エレメントが６個より少ない（例えば、３個連鎖エレメント）場合、その組み合わせ方式が簡単すぎ、変化性に乏しく、娯楽性と挑戦性は低い。また、連鎖エレメントが６個である場合、難度が好適であるが、その組み合わせ方式は１種しかない。さらに、連鎖エレメントが６個より多い（例えば、２４個連鎖エレメント）場合、その組み合わせ方式が複雑すぎ、観察や思考に長時間をかけなければならず、多忙な現代人に不向きであり、かつ他の組み合わせ方式を変化することができないという問題点があった。
【考案の開示】
【考案が解決しようとする課題】
【０００４】
そこで、本考案の主な目的は、組み合わせ方式の多様性を向上することができる連鎖式立体パズルを提供することにある。
【０００５】
また、本考案のもう一つの目的は、娯楽性と挑戦性を向上することができる連鎖式立体パズルを提供することにある。
【課題を解決するための手段】
【０００６】
上記の目的を達成するために、本考案の請求項１は、Ｒ個の連鎖エレメントを含む連鎖式立体パズルにおいて、Ｒは７以上であって、各連鎖エレメントは正方形の横断面を有し、該横断面は２単位長度と２単位長度を乗算して得られ、かつ該連鎖エレメントは両端部と中央部とからなり、該中央部は長度が４単位長度で、また少なくとも第１表面と、該第１表面と相対する第２表面とを具備し、該第１表面には第１ブロック部、第２ブロック部、第３ブロック部、第４ブロック部、第５ブロック部、第６ブロック部、第７ブロック部、第８ブロック部を設け、また該第２表面には第９ブロック部、第１０ブロック部、第１１ブロック部、第１２ブロック部、第１３ブロック部、第１４ブロック部、第１５ブロック部、第１６ブロック部を設け、各連鎖エレメントは形状が相違し、該Ｒ個の連鎖エレメントのうち、６個の連鎖エレメントは少なくとも２種類の組合せ体を組み合わせることができることを特徴とする連鎖式立体パズルである。
【０００７】
本考案の請求項２は、Ｒ個の連鎖エレメントを含む連鎖式立体パズルにおいて、Ｒは１４であって、各連鎖エレメントは正方形の横断面を有し、該横断面は２単位長度と２単位長度を乗算して得られ、かつ該連鎖エレメントは両端部と中央部とからなり、該中央部は長度が４単位長度で、また少なくとも第１表面と、該第１表面と相対する第２表面とを具備し、該第１表面には第１ブロック部、第２ブロック部、第３ブロック部、第４ブロック部、第５ブロック部、第６ブロック部、第７ブロック部、第８ブロック部を設け、また該第２表面には第９ブロック部、第１０ブロック部、第１１ブロック部、第１２ブロック部、第１３ブロック部、第１４ブロック部、第１５ブロック部、第１６ブロック部を設け、該１４個の連鎖エレメントのうち、第１連鎖エレメントは、第１ブロック部、第２ブロック部、第３ブロック部、第４ブロック部、第５ブロック部、第６ブロック部、第７ブロック部、第８ブロック部、第１０ブロック部、第１１ブロック部を含み、該第１１ブロック部には切り欠きが形成され、第２連鎖エレメントは、第１ブロック部、第３ブロック部、第４ブロック部、第９ブロック部、第１１ブロック部、第１２ブロック部を含み、該第１２ブロック部には切り欠きが形成され、第３連鎖エレメントは、第２ブロック部、第３ブロック部、第４ブロック部、第７ブロック部、第８ブロック部、第１０ブロック部、第１１ブロック部を含み、該第１１ブロック部には切り欠きが形成され、第４連鎖エレメントは、第２ブロック部、第３ブロック部、第４ブロック部、第６ブロック部、第７ブロック部、第１１ブロック部、第１２ブロック部を含み、該第１２ブロック部には切り欠きが形成され、第５連鎖エレメントは切り欠きを有しない実心体であり、第６連鎖エレメントは、第１ブロック部、第２ブロック部、第３ブロック部、第４ブロック部、第５ブロック部、第８ブロック部、第１０ブロック部、第１１ブロック部を含み、該第１１ブロック部には切り欠きが形成され、第７連鎖エレメントは、第１ブロック部、第２ブロック部、第３ブロック部、第４ブロック部、第９ブロック部、第１０ブロック部、第１１ブロック部、第１２ブロック部を含み、該第１２ブロック部には切り欠きが形成され、第８連鎖エレメントは、第２ブロック部、第３ブロック部、第４ブロック部、第６ブロック部、第７ブロック部、第１０ブロック部、第１１ブロック部、第１２ブロック部を含み、該第１２ブロック部には切り欠きが形成され、第９連鎖エレメントは、第２ブロック部、第３ブロック部、第４ブロック部、第８ブロック部、第１０ブロック部、第１１ブロック部を含み、該第１１ブロック部には切り欠きが形成され、第１０連鎖エレメントは、第２ブロック部、第３ブロック部、第６ブロック部、第７ブロック部を含み、該第７ブロック部には切り欠きが形成され、第１１連鎖エレメントは、第３ブロック部、第４ブロック部、第１１ブロック部、第１２ブロック部を含み、該第１２ブロック部には切り欠きが形成され、第１２連鎖エレメントは、第４ブロック部、第１２ブロック部を含み、該第１２ブロック部には切り欠きが形成され、第１３連鎖エレメントは、第２ブロック部、第３ブロック部、第６ブロック部、第７ブロック部、第１０ブロック部、第１１ブロック部を含み、該第１１ブロック部には切り欠きが形成され、第１４連鎖エレメントは、第２ブロック部、第３ブロック部、第６ブロック部、第７ブロック部、第１０ブロック部を含み、該第１０ブロック部には切り欠きが形成されることを特徴とする連鎖式立体パズルである。
【０００８】
本考案の請求項３は、請求項２に記載の連鎖式立体パズルにおいて、さらに前記第１連鎖エレメントを含み、合計１５個の連鎖エレメントからなることを特徴とする連鎖式立体パズルである。
【０００９】
本考案の請求項４は、請求項２に記載の連鎖式立体パズルにおいて、さらに第１５連鎖エレメントと第１６連鎖エレメントを含み第１５連鎖エレメントは、第１ブロック部、第２ブロック部、第３ブロック部、第４ブロック部、第５ブロック部、第６ブロック部、第８ブロック部、第１０ブロック部、第１１ブロック部を含み、該第１１ブロック部には切り欠きが形成され、第１６連鎖エレメントは、第１ブロック部、第２ブロック部、第３ブロック部、第４ブロック部、第５ブロック部、第７ブロック部、第８ブロック部、第１０ブロック部、第１１ブロック部を含み、該第１１ブロック部には切り欠きが形成されることを特徴とする連鎖式立体パズルである。
【００１０】
本考案の請求項５は、請求項４に記載の連鎖式立体パズルにおいて、さらに第１連鎖エレメント２個、第７連鎖エレメント、第１１連鎖エレメント、第１２連鎖エレメントを含み、合計２１個の連鎖エレメントからなることを特徴とする連鎖式立体パズルである。
【００１１】
本考案の請求項６は、請求項５に記載の連鎖式立体パズルにおいて、該第１連鎖エレメント、該第２連鎖エレメント、該第３連鎖エレメント、該第４連鎖エレメント、該第５連鎖エレメント、該第６連鎖エレメント、該第７連鎖エレメント、該第８連鎖エレメント、該第９連鎖エレメント、該第１０連鎖エレメント、該第１１連鎖エレメント、該第１２連鎖エレメント、該第１３連鎖エレメント、該第１４連鎖エレメント、該第１５連鎖エレメント、該第１６連鎖エレメントは、それぞれＡ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐとし、それぞれの組み合わせ方式は少なくとも、ＡＡＡＢＥＪ、ＡＡＡＢＥＫ、ＡＡＡＪＫＬ、ＡＡＡＬＬＭ、ＡＡＢＥＦＭ、ＡＡＥＦＧＪ、ＡＡＥＦＧＫ、ＡＡＥＦＨＪ、ＡＡＥＦＨＫ、ＡＡＦＪＫＫ、ＡＡＦＫＬＭ、ＡＡＧＧＬＬ、ＡＢＥＦＧＧ、ＡＦＧＧＫＬ、ＦＦＧＧＫＫのいずれか１種から選択されることを特徴とする連鎖式立体パズルである。
【００１２】
本考案の請求項７は、請求項５に記載の連鎖式立体パズルにおいて、該第１連鎖エレメント、該第２連鎖エレメント、該第３連鎖エレメント、該第４連鎖エレメント、該第５連鎖エレメント、該第６連鎖エレメント、該第７連鎖エレメント、該第８連鎖エレメント、該第９連鎖エレメント、該第１０連鎖エレメント、該第１１連鎖エレメント、該第１２連鎖エレメント、該第１３連鎖エレメント、該第１４連鎖エレメント、該第１５連鎖エレメント、該第１６連鎖エレメントは、それぞれＡ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐとし、それぞれの組み合わせ方式は、少なくともＡＡＢＣＤＥ、ＡＡＣＥＪＯ、ＡＡＣＥＫＯ、ＡＡＤＥＦＮ、ＡＡＤＥＪＰ、ＡＡＤＥＫＰ、ＡＡＤＩＬＮ、ＡＡＤＬＭＮ、ＡＡＧＩＫＬ、ＡＢＥＦＧＨ、ＡＣＤＥＦＧ、ＡＣＤＦＪＫ、ＡＤＦＩＫＮ、ＡＤＦＫＭＮ、ＡＤＩＫＫＰ、ＡＥＦＧＨＩ、ＡＥＦＨＮＯ、ＡＥＧＪＯＰ、ＡＥＧＫＯＰ、ＡＪＬＭＯＰ、ＡＪＫＫＯＰ、ＡＫＬＭＯＰ、ＧＨＫＬＯＰ、ＧＩＫＫＯＰのいずれか１種から選択されることを特徴とする連鎖式立体パズルである。
【００１３】
本考案の請求項８は、請求項５に記載の連鎖式立体パズルにおいて、該第１連鎖エレメント、該第２連鎖エレメント、該第３連鎖エレメント、該第４連鎖エレメント、該第５連鎖エレメント、該第６連鎖エレメント、該第７連鎖エレメント、該第８連鎖エレメント、該第９連鎖エレメント、該第１０連鎖エレメント、該第１１連鎖エレメント、該第１２連鎖エレメント、該第１３連鎖エレメント、該第１４連鎖エレメント、該第１５連鎖エレメント、該第１６連鎖エレメントは、それぞれＡ、Ｂ、Ｃ、Ｄ、Ｅ、Ｆ、Ｇ、Ｈ、Ｉ、Ｊ、Ｋ、Ｌ、Ｍ、Ｎ、Ｏ、Ｐとし、それぞれの組み合わせ方式は、少なくともＡＡＣＤＥＩ、ＡＡＣＤＪＬ、ＡＡＣＤＫＬ、ＡＢＣＥＨＯ、ＡＣＤＥＦＨ、ＡＣＤＦＫＫ、ＡＣＨＫＬＯ、ＣＤＥＧＯＰ、ＣＤＪＫＯＰ、ＣＤＫＫＯＰ、ＣＦＧＫＫＯ、ＤＦＧＫＫＰのいずれか１種から選択されることを特徴とする連鎖式立体パズルである。
【考案の効果】
【００１４】
本考案の連鎖式立体パズルによれば、次のような効果がある。
（１）組み合わせ方式が豊富である。従来の立体パズルは、組み合わせ方式が一種に限られ、多様に変化できない。ところが、本考案の連鎖式立体パズルは７個以上（例えば、Ｒ＝１５個、ハーフセット、又はＲ＝２１個、フルセット）の連鎖エレメントを有し、組み合わせる連鎖エレメントの個数を自由に変更するだけではなく、各連鎖エレメント間の関係によって、連鎖エレメントを置換し、少なくとも５１種の組み合わせ方式を実現できるので、変化が極めて多く、従来市販の同類製品の変化性や多様性を遥かに超えている。
【００１５】
（２）娯楽性と挑戦性が高い。従来の立体パズルは、連鎖エレメントが少なすぎる場合、組み合わせ方式が簡単で、それほど思考せずにゲームでき、変化性がない。このため、娯楽性と挑戦性は低い。連鎖エレメントが多すぎる場合、組み合わせ方式が複雑すぎ、しかも長時間を費やさなければならず、多忙な現代人に相応しくない。本考案の連鎖式立体パズルは、ハーフセットの連鎖エレメント１５個とフルセットの連鎖エレメント２１個が好適である。勿論、連鎖エレメントの個数を増減や交換することによって、使用者の知恵を発揮し、新しい組み合わせ方式を実現できる。ここでは、本考案の連鎖エレメント６個の組み合わせ方式で少なくとも５１種の実施例を実現でき、その難易度によると、大体初級クラス（普通）、中級クラス（やや複雑）、上級クラス（複雑）の三階級に分類でき、使用者が前記三階級を自由に選択して挑戦できる。従って、娯楽性と挑戦性は高い。
【考案を実施するための最良の形態】
【００１６】
以下、添付図面を参照して本考案の好適な実施の形態を詳細に説明する。
図１乃至図３を参照する。本考案の『連鎖式立体パズル』はＲ個の連鎖エレメント１０を含み、そのうち、Ｒ≧７、各連鎖エレメント１０は正方形の横断面を有し、該横断面は２単位長度と２単位長度を乗算して得られる。前記連鎖エレメント１０は両端部２０、２０と、中央部３０とからなり、前記中央部３０は長さが４単位長度であって、少なくとも第１表面３１と、この第１表面に相対する第２表面３２とを有し、前記第１表面３１には、第１ブロック部３１Ａ、第２ブロック部３１Ｂ、第３ブロック部３１Ｃ、第４ブロック部３１Ｄ、第５ブロック部３１Ｅ、第６ブロック部３１Ｆ、第７ブロック部３１Ｇ、第８ブロック部３１Ｈを設けている。また、前記第２表面３２には、第９ブロック部３２Ａ、第１０ブロック部３２Ｂ、第１１ブロック部３２Ｃ、第１２ブロック部３２Ｄ、第１３ブロック部３２Ｅ、第１４ブロック部３２Ｆ、第１５ブロック部３２Ｇ、第１６ブロック部３２Ｈを設けている。各連鎖エレメント１０は形状が相違し、しかも前記Ｒ個の連鎖エレメント１０中の６個の連鎖エレメント１０は、二種以上の組み合わせ体を組み合わせることができるようになっている。
【００１７】
図１乃至図３に示すように、本考案の『連鎖式立体パズル』の好適な実施例では、１４個の連鎖エレメント１０、即ちＲは１４であり、各連鎖エレメント１０は正方形の横断面を有し、前記横断面は２単位長度と２単位長度を乗算して得られ、且つ前記連鎖エレメント１０は両端部２０、２０と中央部３０とを具備し、前記中央部３０は長さが４単位長度であって、第１表面３１と、この第１表面と相対する第２表面３２とを具備する。前記第１表面３１には、第１ブロック部３１Ａ、第２ブロック部３１Ｂ、第３ブロック部３１Ｃ、第４ブロック部３１Ｄ、第５ブロック部３１Ｅ、第６ブロック部３１Ｆ、第７ブロック部３１Ｇ、第８ブロック部３１Ｈを配置している。また、前記第２表面３２には、第９ブロック部３２Ａ、第１０ブロック部３２Ｂ、第１１ブロック部３２Ｃ、第１２ブロック部３２Ｄ、第１３ブロック部３２Ｅ、第１４ブロック部３２Ｆ、第１５ブロック部３２Ｇ、第１６ブロック部３２Ｈを配置している。ここでは、前記１４個の連鎖エレメント１０は、図４に示すように、以下のような構成がある。
【００１８】
第１連鎖エレメント１０Ａ（以下、Ａと略称する）は、第１ブロック部３１Ａ、第２ブロック部３１Ｂ、第３ブロック部３１Ｃ、第４ブロック部３１Ｄ、第５ブロック部３１Ｅ、第６ブロック部３１Ｆ、第７ブロック部３１Ｇ、第８ブロック部３１Ｈ、第１０ブロック部３２Ｂ、第１１ブロック部３２Ｃを含み、前記第１１ブロック部３２Ｃには、切り欠き（凹部）が形成されている。
【００１９】
第２連鎖エレメント１０Ｂ（以下、Ｂと略称する）は、第１ブロック部３１Ａ、第３ブロック部３１Ｃ、第４ブロック部３１Ｄ、第９ブロック部３２Ａ、第１１ブロック部３２Ｃ、第１２ブロック部３２Ｄを含み、前記第１２ブロック部３２Ｄには、切り欠き（凹部）が形成されている。
【００２０】
第３連鎖エレメント１０Ｃ（以下、Ｃと略称する）は、第２ブロック部３１Ｂ、第３ブロック部３１Ｃ、第４ブロック部３１Ｄ、第７ブロック部３１Ｇ、第８ブロック部３１Ｈ、第１０ブロック部３２Ｂ、第１１ブロック部３２Ｃを含み、前記第１１ブロック部３２Ｃには、切り欠き（凹部）が形成されている。
【００２１】
第４連鎖エレメント１０Ｄ（以下、Ｄと略称する）は、第２ブロック部３１Ｂ、第３ブロック部３１Ｃ、第４ブロック部３１Ｄ、第６ブロック部３１Ｆ、第７ブロック部３１Ｇ、第１１ブロック部３２Ｃ、第１２ブロック部３２Ｄを含み、前記第１２ブロック部３２Ｄには、切り欠き（凹部）が形成されている。
【００２２】
第５連鎖エレメント１０Ｅ（以下、Ｅと略称する）は、切り欠きを有しない（実心体）連鎖エレメントである。
【００２３】
第６連鎖エレメント１０Ｆ（以下、Ｆと略称する）は、第１ブロック部３１Ａ、第２ブロック部３１Ｂ、第３ブロック部３１Ｃ、第４ブロック部３１Ｄ、第５ブロック部３１Ｅ、第８ブロック部３１Ｈ、第１０ブロック部３２Ｂ、第１１ブロック部３２Ｃを含み、前記第１１ブロック部３２Ｃには、切り欠き（凹部）が形成されている。
【００２４】
第７連鎖エレメント１０Ｇ（以下、Ｇと略称する）は、第１ブロック部３１Ａ、第２ブロック部３１Ｂ、第３ブロック部３１Ｃ、第４ブロック部３１Ｄ、第９ブロック部３２Ａ、第１０ブロック部３２Ｂ、第１１ブロック部３２Ｃ、第１２ブロック部３２Ｄを含み、前記第１２ブロック部３２Ｄには、切り欠き（凹部）が形成されている。
【００２５】
第８連鎖エレメント１０Ｈ（以下、Ｈと略称する）は、第２ブロック部３１Ｂ、第３ブロック部３１Ｃ、第４ブロック部３１Ｄ、第６ブロック部３１Ｆ、第７ブロック部３１Ｇ、第１０ブロック部３２Ｂ、第１１ブロック部３２Ｃ、第１２ブロック部３２Ｄを含み、前記第１２ブロック部３２Ｄには、切り欠き（凹部）が形成されている。
【００２６】
第９連鎖エレメント１０Ｉ（以下、Ｉと略称する）は、第２ブロック部３１Ｂ、第３ブロック部３１Ｃ、第４ブロック部３１Ｄ、第８ブロック部３１Ｈ、第１０ブロック部３２Ｂ、第１１ブロック部３２Ｃを含み、前記第１１ブロック部３２Ｃには、切り欠き（凹部）が形成されている。
【００２７】
第１０連鎖エレメント１０Ｊ（以下、Ｊと略称する）は、第２ブロック部３１Ｂ、第３ブロック部３１Ｃ、第６ブロック部３１Ｆ、第７ブロック部３１Ｇを含み、前記第７ブロック部３１Ｇには、切り欠き（凹部）が形成されている。
【００２８】
第１１連鎖エレメント１０Ｋ（以下、Ｋと略称する）は、第３ブロック部３１Ｃ、第４ブロック部３１Ｄ、第１１ブロック部３２Ｃ、第１２ブロック部３２Ｄを含み、前記第１２ブロック部３２Ｄには、切り欠き（凹部）が形成されている。
【００２９】
第１２連鎖エレメント１０Ｌ（以下、Ｌと略称する）は、第４ブロック部３１Ｄ、第１２ブロック部３２Ｄを含み、前記第１２ブロック部３２Ｄには、切り欠き（凹部）が形成されている。
【００３０】
第１３連鎖エレメント１０Ｍ（以下、Ｍと略称する）は、第２ブロック部３１Ｂ、第３ブロック部３１Ｃ、第６ブロック部３１Ｆ、第７ブロック部３１Ｇ、第１０ブロック部３２Ｂ、第１１ブロック部３２Ｃを含み、前記第１１ブロック部３２Ｃには、切り欠き（凹部）が形成されている。
【００３１】
第１４連鎖エレメント１０Ｎ（以下、Ｎと略称する）は、第２ブロック部３１Ｂ、第３ブロック部３１Ｃ、第６ブロック部３１Ｆ、第７ブロック部３１Ｇ、第１０ブロック部３２Ｂを含み、前記第１０ブロック部３２Ｂには、切り欠き（凹部）が形成されている。
【００３２】
実際には、組み合わせ方式をより多くするために、上述した本考案の連鎖式立体パズルの１４個の連鎖エレメント（１０Ａ、１０Ｂ、１０Ｃ、１０Ｄ、１０Ｅ、１０Ｆ、１０Ｇ、１０Ｈ、１０Ｉ、１０Ｊ、１０Ｋ、１０Ｌ、１０Ｍ、１０Ｎ）に、さらに連鎖エレメント１０Ａを加え、合計１５個の連鎖エレメント１０（Ｒ＝１５、ハーフセット）を有する連鎖式立体パズルを構成し、以下、「ＡＡＢＣＤＥＦＧＨＩＪＫＬＭＮ」と略称する。
【００３３】
上述したハーフセットである１５個の連鎖エレメント１０の他に、さらに第１５個目の連鎖エレメント１０Ｏ（エレメント番号は１０にローマ字Ｏを付け、以下、この連鎖エレメントをＯと略称）と、第１６個目の連鎖エレメント１０Ｐ（以下、Ｐと略称）と、第１個目の連鎖エレメント１０Ａと、第７個目の連鎖エレメント１０Ｇと、第１１個目の連鎖エレメント１０Ｋと、第１２個目の連鎖エレメント１０Ｌを含み、合計２１個の連鎖エレメント１０（Ｒ＝２１、フルセット）を有する連鎖式立体パズルを構成し、以下、「ＡＡＡＢＣＤＥＦＧＧＨＩＪＫＫＬＬＭＮＯＰ」と略称する。
なお、前記連鎖エレメント１０Ｏ又はＯは、第１ブロック部３１Ａ、第２ブロック部３１Ｂ、第３ブロック部３１Ｃ、第４ブロック部３１Ｄ、第５ブロック部３１Ｅ、第６ブロック部３１Ｆ、第８ブロック部３１Ｈ、第１０ブロック部３２Ｂ、第１１ブロック部３２Ｃを含み、前記第１１ブロック部３２Ｃには、切り欠き（凹部）が形成されている。また、前記連鎖エレメント１０Ｐ又はＰは、第１ブロック部３１Ａ、第２ブロック部３１Ｂ、第３ブロック部３１Ｃ、第４ブロック部３１Ｄ、第５ブロック部３１Ｅ、第７ブロック部３１Ｇ、第８ブロック部３１Ｈ、第１０ブロック部３２Ｂ、第１１ブロック部３２Ｃを含み、前記第１１ブロック部３２Ｃには、切り欠き（凹部）が形成されている。
【００３４】
本考案者は、上記した「フルセット」である連鎖式立体パズルを基礎として研究したところ、現在、５１種の組み合わせ方式の開発に成功した。この研究結果によると、その難易度を大体初級クラス（普通）、中級クラス（やや複雑）、上級クラス（複雑）の三階級に分類できる。
【００３５】
「初級クラス」は、図５に示すように、Ａ１からＡ１５までの１５種の組み合わせ方式を含む。
「中級クラス」は、図６に示すように、Ｂ１からＢ２４までの２４種の組み合わせ方式を含む。
「上級クラス」は、図７に示すように、Ｃ１からＣ１２までの１２種の組み合わせ方式を含む。
以上のように、合計５１種類の組み合わせ方式があることがわかる。勿論、挑戦心の旺盛な使用者はこの５１種以外の新しい組み合わせ方式を試みることができる。なお、本考案の連鎖式立体パズルの組み合わせ方式が豊富で、各クラスの難易度が異なるが、便宜上、初級（クラス）、中級（クラス）、上級（クラス）の三階級を分類できる。そして、初心者から専門家までの使用者が幅広く愛玩できる。
【００３６】
ところで、図５乃至図７中には、「使用エレメント」と「（Ｘ）（Ｙ）（Ｚ）」という欄があり、「使用エレメント」は使用連鎖エレメントの略称であり、「（Ｘ）（Ｙ）（Ｚ）」は最後の組み合わせた立体パズルの三つの軸に隣り合う連鎖エレメントの組み合わせ関係を表すものである。なお、この（Ｘ）（Ｙ）（Ｚ）は相対的な関係であって、使用者の参考に供する。また、組み合わせ手順の欄には「＋」と「〜」があり、「＋」符号は、先行して組み合わせ体を一体に組み合わせるという意味で、「〜」符号は、スライド（連鎖エレメントを少しスライドしたり、引出したりする）してから組み合わせを行うという意味である。そうしないと、連鎖エレメントが引っ掛かり、組み合わせができなくなる恐れがあるからである。
【００３７】
本考案は組み合わせ方式が５１種あり、そのすべての手順について詳細に説明できないので、以下に幾つかの代表的な組み合わせ方式を例示して説明する。
【実施例１】
【００３８】
図８と図９には、組み合わせ方式の実施例１（中級クラスのＢ１の「ＡＡＢＣＤＥ」）を示す。この実施例１では、第１連鎖エレメント１０Ａ２個、第２連鎖エレメント１０Ｂ、第３連鎖エレメント１０Ｃ、第４連鎖エレメント１０Ｄ、第５連鎖エレメント１０Ｅを含む。図８は、組み合わせ前の準備状態を示すものであり、図９は、組み合わせ後の完成状態を示すものである。
【実施例２】
【００３９】
図１０と図１１には、組み合わせ方式の実施例２（上級クラスのＣ１の「ＡＡＣＤＥＩ」）を示す。この実施例２では、２個の第１連鎖エレメント１０Ａ、第３連鎖エレメント１０Ｃ、第４連鎖エレメント１０Ｄ、第５連鎖エレメント１０Ｅ、第９連鎖エレメント１０Ｉで組み合わせを行う。図１０は、組み合わせ前の準備状態を示すものであり、図１１は、組み合わせ手順（Ａ）〜（Ｅ）及び完成状態（Ｅ）を示すものである。
【実施例３】
【００４０】
図１２と図１３には、組み合わせ方式の実施例３（初級クラスのＡ８の「ＡＡＥＦＨＪ」）を示す。この実施例３では、第１連鎖エレメント１０Ａ２個、第５連鎖エレメント１０Ｅ、第６連鎖エレメント１０Ｆ、第８連鎖エレメント１０Ｈ、第１０連鎖エレメント１０Ｊを使用する。図１２は、組み合わせ前の準備状態を示すものであり、図１３は、組み合わせ手順（Ａ）〜（Ｆ）及び完成状態（Ｆ）を示すものである。
【実施例４】
【００４１】
図１４と図１５には、組み合わせ方式の実施例４（初級クラスのＡ１１の「ＡＡＦＫＬＭ」）を示す。この実施例４では、第１連鎖エレメント１０Ａ２個、第６連鎖エレメント１０Ｆ、第１１連鎖エレメント１０Ｋ、第１２連鎖エレメント１０Ｌ、第１３連鎖エレメント１０Ｍで組み合わせを行う。図１４は、組み合わせ前の準備状態を示すものであり、図１５は、組み合わせ後の完成状態を示すものである。
【実施例５】
【００４２】
図１６と図１７には、組み合わせ方式の実施例５（中級クラスのＢ１３の「ＡＤＦＩＫＮ」）を示す。この実施例５では、第１連鎖エレメント１０Ａ、第４連鎖エレメント１０Ｄ、第６連鎖エレメント１０Ｆ、第９連鎖エレメント１０Ｉ、第１１連鎖エレメント１０Ｋ、第１４連鎖エレメント１０Ｎで組み合わせを行う。図１６は、組み合わせ前の準備状態を示すものであり、図１７は、組み合わせ後の完成状態を示すものである。
【実施例６】
【００４３】
図１８には、組み合わせ方式の実施例６（中級クラスのＢ７の「ＡＡＤＩＬＮ」）を示す。この実施例６では、２個の第１連鎖エレメント１０Ａ、第４連鎖エレメント１０Ｄ、第９連鎖エレメント１０Ｉ、第１２連鎖エレメント１０Ｌ、第１４連鎖エレメント１０Ｎで組み合わせを行う。図１８は、組み合わせ手順（Ａ）〜（Ｅ）及び完成状態（Ｅ）を示すものである。ただし、ここには、図１８（Ｅ）における第１連鎖エレメント１０Ａと第１２連鎖エレメント１０Ｌとを先に結合してから（即ち、図６のＢ７の組み合わせ手順のＡ+Ｄの意味）、この組み立てを完成する必要があることに注意すべきである。
【実施例７】
【００４４】
図１９には、組み合わせ方式の実施例７（中級クラスのＣ８の「ＣＤＥＧＯＰ」）を示す。この実施例７では、第３連鎖エレメント１０Ｃ、第４連鎖エレメント１０Ｄ、第５連鎖エレメント１０Ｅ、第７連鎖エレメント１０Ｇ、第１５連鎖エレメント１０Ｏ（１０とローマ字Ｏ）、第１６連鎖エレメント１０Ｐで組み合わせを行う。図１９は、組み合わせ手順（Ａ）〜（Ｆ）及び完成状態（Ｆ）を示すものである。なお、他の組み合わせ方式については、図５乃至図７を参照されたく、その詳細な説明はここで省略する。
【００４５】
なお、上記実施例は、本考案の好適な実施の形態を示したものにすぎず、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００４６】
【図１】本考案の連鎖式立体パズルの連鎖エレメントの平面図
【図２】本考案の連鎖式立体パズルの第一表面のブロック部の位置説明図
【図３】本考案の連鎖式立体パズルの第二表面のブロック部の位置説明図
【図４】本考案の連鎖式立体パズルの連鎖エレメントの斜視図
【図５】本考案の連鎖式立体パズルの初級クラスの１５種の組み合わせ方式の説明図
【図６】本考案の連鎖式立体パズルの中級クラスの２４種の組み合わせ方式の説明図
【図７】本考案の連鎖式立体パズルの上級クラスの１２種の組み合わせ方式の説明図
【図８】本考案の実施例１の組み合わせ前の準備状態の説明図
【図９】本考案の実施例１の組み合わせ後の完成状態の説明図
【図１０】本考案の実施例２の組み合わせ前の準備状態の説明図
【図１１】本考案の実施例２の組み合わせ手順（Ａ）〜（Ｅ）及び完成状態（Ｅ）の説明図
【図１２】本考案の実施例３の組み合わせ前の準備状態の説明図
【図１３】本考案の実施例３の組み合わせ手順（Ａ）〜（Ｆ）及び完成状態（Ｆ）の説明図である。
【図１４】本考案の実施例４の組み合わせ前の準備状態の説明図
【図１５】本考案の実施例４の組み合わせ後の完成状態の説明図
【図１６】本考案の実施例５の組み合わせ前の準備状態の説明図
【図１７】本考案の実施例５の組み合わせ後の完成状態の説明図
【図１８】本考案の実施例６の組み合わせ手順（Ａ）〜（Ｅ）及び完成状態（Ｅ）の説明図
【図１９】本考案の実施例７の組み合わせ手順（Ａ）〜（Ｆ）及び完成状態（Ｆ）の説明図
【符号の説明】
【００４７】
１０    連鎖エレメント                 
１０Ａ  第１連鎖エレメント
１０Ｂ  第２連鎖エレメント
１０Ｃ  第３連鎖エレメント
１０Ｄ  第４連鎖エレメント
１０Ｅ  第５連鎖エレメント
１０Ｆ  第６連鎖エレメント
１０Ｇ  第７連鎖エレメント
１０Ｈ  第８連鎖エレメント
１０Ｉ  第９連鎖エレメント
１０Ｊ  第１０連鎖エレメント
１０Ｋ  第１１連鎖エレメント
１０Ｌ  第１２連鎖エレメント
１０Ｍ  第１３連鎖エレメント
１０Ｎ  第１４連鎖エレメント
１０Ｏ  第１５連鎖エレメント
１０Ｐ  第１６連鎖エレメント
２０    端部
３０    中央部
３１    第１表面
３２    第２表面
３１Ａ  第１ブロック部
３１Ｂ  第２ブロック部
３１Ｃ  第３ブロック部
３１Ｄ  第４ブロック部
３１Ｅ  第５ブロック部
３１Ｆ  第６ブロック部
３１Ｇ  第７ブロック部
３１Ｈ  第８ブロック部
３２Ａ  第９ブロック部
３２Ｂ  第１０ブロック部
３２Ｃ  第１１ブロック部
３２Ｄ  第１２ブロック部
３２Ｅ  第１３ブロック部
３２Ｆ  第１４ブロック部
３２Ｇ  第１５ブロック部
３２Ｈ  第１６ブロック部
【図１】
0003146613.tif 000003
【図２】
0003146613.tif 000004
【図３】
0003146613.tif 000005
【図４】
0003146613.tif 000006
【図５】
0003146613.tif 000007
【図６】
0003146613.tif 000008
【図７】
0003146613.tif 000009
【図８】
0003146613.tif 000010
【図９】
0003146613.tif 000011
【図１０】
0003146613.tif 000012
【図１１】
0003146613.tif 000013
【図１２】
0003146613.tif 000014
【図１３】
0003146613.tif 000015
【図１４】
0003146613.tif 000016
【図１５】
0003146613.tif 000017
【図１６】
0003146613.tif 000018
【図１７】
0003146613.tif 000019
【図１８】
0003146613.tif 000020
【図１９】
0003146613.tif 000021